(57)【要約】【課題】  本発明は、上述した事情を考慮してなされたもので、浴室で安全に使用できる足裏吐水装置を提供することを目的とするものである。【解決手段】  本発明では、浴室で足裏に吐水するための足裏吐水装置を、片足用とするものである。好適には、前記足裏吐水装置は、使用者の足を置くための足置き台と、前記足置き台に載置された足の裏に吐水するための吐水部と、吐水部に水を供給するための流入部と、流入部から吐水部に水を供給する送水部とを備え、該流入部を浴室の給水装置に接続して使用するものである。【選択図】  図１
2005245614.tif 000002
【特許請求の範囲】
【請求項１】
浴室で足裏に吐水するための足裏吐水装置であって、片足用である事を特徴とする足裏吐水装置。
【請求項２】
使用者の足を置くための足置き台と、
前記足置き台に載置された足の裏に吐水するための吐水部と、
前記吐水部に水を供給するための流入部と
前記流入部から前記吐水部に水を送水するための送水部とを備え、
前記流入部を浴室の給水装置に接続して使用する事を特徴とする、
請求項１に記載の足裏吐水装置。  
【請求項３】
前記足置き台が、かかと側からつま先側に向かって、上昇または下降の傾斜を有することを特徴とする、請求項２に記載の足裏吐水装置。
【請求項４】
前記足置き台が、弾性体であることを特徴とする、請求項２または３に記載の足裏吐水装置。
【請求項５】
前記足置き台は、土踏まずを支えるための土踏まず載置部を左右いずれの側にも着脱可能に備えることを特徴とする、請求項２ないし４のいずれかに記載の足裏吐水装置。
【請求項６】
前記足裏吐水装置は、浴室の床と接する底面に、滑り止め部を備えることを特徴とする請求項１ないし５のいずれかに記載の足裏吐水装置。
【請求項７】
請求項１ないし５のいずれかに記載の足裏吐水装置が、床に固定されたことを特徴とする浴室。  
【発明の詳細な説明】
【技術分野】
【０００１】
本発明は、足裏を指向して水を吐水する足裏吐水装置に係り、特に浴室で使用する安全性に優れた足裏吐水装置に関する発明である。
【背景技術】
【０００２】
近年、健康に対する人々の関心が高まるにつれ、足を収納する容器と該容器内に収納された足に向かって吐水するノズルとを備える足マッサージ装置等と呼ばれるものが注目されている。
【０００３】
その理由として、このタイプのものは、容器内に溜められた温水に気泡を発生させその温水に足を浸すタイプのものと同様、靴下等を脱ぐだけで手軽に足の汚れを落とせる、温水を使用することから血行増進が図られる等の他に、マッサージ効果を有することから、足の疲労回復やむくみの除去、肌に対する美容効果等も期待できることが挙げられる。
【０００４】
このような吐水を用いるタイプの足マッサージ装置を浴室で利用すると、周囲への水の飛散を気にせず、水の準備・片付けの手間をかけずに入浴中に気軽に使用できるという利点がある。
【０００５】
ところで、従来の発明による浴室用足裏吐水装置は、両足に同時に吐水するものであった。（例えば、特許文献１、２参照。）確かに、両足を一度にマッサージすれば効率が良いが、浴室で使用する場合には、以下に説明する様に、安全性の面から両足用が好ましくない場合があった。すなわち、浴室は、床や風呂イスが、水や、石鹸、シャンプー、リンス等で濡れて滑りやすくなる事がある。その様な状況で、両足でマッサージ装置を使用すると、装置や風呂イスが床上をすべった時や、臀部が風呂イス上を滑った時、体重のバランスを崩した時などに、両足が床から離れているために、使用者はとっさに安全な姿勢がとれず危険な場合があった。    
【０００６】
また、両足間の間隔や、足を置く角度などが決められていると、自由な姿勢がとれず、安全上好ましくない場合があった。例として、特許文献２にかかる発明を図２１に示すが、このように足置き台の幅が決まっていると、左右の足の位置関係を自由に決めることが出来なかった。そのため、例えば太っている人が無理に脚を揃えて不自然な姿勢になり、重心が安定せず転倒しやすくなる場合などがあった。
【０００７】
また、特許文献２にかかる発明では、足置き台が吐水スイッチを兼ね、足置き台を踏むと吐水し、足をはずすと止水する仕組みとしていた。これは、確かに湯水の無駄を防ぐ効果はあったが、一方で、台に載せた足が不安定であり、また吐水量の調節が難しいという問題があった。
【特許文献１】特開平３−１１１０４９号公報
【特許文献２】特開２００１−４６４６４号公報
【発明の開示】
【発明が解決しようとする課題】
【０００８】
本発明は、上記問題を解決するためになされたもので、本発明の課題は、浴室で安全に使用できる足裏吐水装置を提供することである。
【課題を解決するための手段】
【０００９】
上記目的を達成するために請求項１記載の発明によれば、浴室で足裏に吐水するための足裏吐水装置を片足用とすることにより、安全な足裏吐水装置とした。
【００１０】
また、請求項２記載の発明によれば、使用者の足を置くための足置き台と、前記足置き台に載置された足の裏に吐水するための吐水部と、前記吐水部に水を供給するための流入部と、前記流入部から前記吐水部に水を送水するための送水部とを備え、前記流入部を浴室の給水装置に接続して使用することにより、安全な足裏吐水装置とした。  
【００１１】
また、請求項３記載の発明によれば、前記足置き台が、かかと側からつま先側に向かって、上昇または下降の傾斜を有することにより、安全な足裏吐水装置とした。
【００１２】
また、請求項４記載の発明によれば、前記足置き台が、弾性体であることにより、安全な足裏吐水装置とした。
【００１３】
また、請求項５記載の発明によれば、前記足置き台は、土踏まずを支えるための土踏まず載置部を左右いずれの側にも着脱可能に備えることにより、安全な足裏吐水装置とした。
【００１４】
また、請求項６記載の発明によれば、前記足裏吐水装置は、浴室の床と接する底面に、滑り止め部を備えることにより、安全な足裏吐水装置とした。
【００１５】
また、請求項７記載の発明によれば、浴室の床に、請求項１ないし５のいずれかに記載の足裏吐水装置が固定されていることにより、安全な足裏吐水装置を備える浴室とした。
【発明の効果】
【００１６】
以上述べたように、本発明に係る足裏吐水装置によれば、使用者が浴室内で、少なくとも片方の足を完全に床につけて、安定した姿勢で安全に足裏の吐水によるマッサージを行うことが可能となる。また、装置が床上を滑りにくい、あるいは滑ることがないので安全である。また、使用者が左右の足の位置関係を任意に決定出来るので、安定した姿勢で使用でき、安全である。  
【発明を実施するための最良の形態】
【００１７】
本発明に係る足裏吐水装置の第一の実施例について、添付図面を参照して説明する。まず、本発明に係る足裏吐水装置を備えた足裏吐水システム１００の全体構成を説明する。図１は、かかる足裏吐水システム１００の全体構成の概要を示すものである。同図に示すように、この足裏吐水システム１００は、大別して、シャワー金具１０１、シャワーヘッド１０３、足裏に吐水マッサージを行うための足裏吐水装置１、シャワーホース１０８及び１０９とを備える。また、シャワー金具１０１は、温度調節部１０４、吐水量調節部１０５、サーモスタット１１５、カラン１０２及び、シャワーヘッド１０３と足裏吐水装置１を切り替えるための切換部１０６を備える。
【００１８】
サーモスタット１１５は、給水管１１２及び給湯管１１３によって壁１１０の外部から導入される給水及び給湯を適度な比率で混合することにより適温の水を供給するものである。温度調節部１０４は、サーモスタット１１５の設定温度を決定するもので、つまみを奥側に倒すほど水の設定温度が高くなる。使用者Ｐは、この部分を回動することにより、吐水される水の温度を簡単に調節することが出来る。この設定温度は、カラン１０２、シャワーヘッド１０３、足裏吐水装置１に共通して適用される。
【００１９】
流量調節部１０５は、カラン１０２、シャワーヘッド１０３、足裏吐水装置１の吐水量を調節するために用いられる。中間の位置では止水状態とし、そこから大きな角度で回動させるほど、吐水量が多くなるものである。つまみを手前側に倒すとカラン１０２から、奥側に倒すとシャワーヘッド１０３または足裏吐水装置１から吐水される。この様なシャワー金具１０１を用いることにより、使用者は簡単に所望の温度、所望の湯量で吐水を実現できる。
【００２０】
切換部１０６は、シャワーヘッド１０３と足裏吐水装置１のいずれから吐水するかを選択するために用いられる。切換部１０６上に備えられた切換つまみ１０７を縦に向けるとシャワーヘッド１０３から、横に向けると足裏吐水装置１から吐水されるようになるものである。切換部１０６には、三方弁が好適に利用出来る。
【００２１】
次に、足裏吐水装置１の全体構成を説明する。図２は、この足裏吐水装置１を左側から見た図、図３は、上側から見た図、図４は、かかと側から見た図である。なお、本明細書においては、図１に点線で示した様に足裏吐水装置１に足を載せた時に、つま先が載る方をつま先側、かかとが載る方をかかと側と定義し、かかと側からつま先側を見たときの左右に対応して右側、左側と、また足裏吐水装置１を床に置いた状態で床側を下側、天井側を上側と定義する。
【００２２】
この足裏吐水装置１は、図２、３、４に示すように、大別して、使用者Pの足を置くための足置き台２と、足の裏に吐水するための足裏ノズル３と、吐水部に水を供給するための流入部４と、足置き台２を支えるための台座５を備える。また、図８を用いて後述するように、台座５の内部に、流入部４から足裏ノズル３に水を送水するための送水路９を備える。なお、本願において、足置き台とは、足裏に接して、足を支える面のことをいう。また、足裏ノズル３は本願でいう吐水部に、送水路９は本願でいう送水部に各々対応する。
【００２３】
以下、この足裏吐水装置１を構成する各部に関して説明する。まず、足置き台２に関して説明する。足置き台２は、使用者Ｐの足を支える台で、図３に示したように、この足置き台２は、つま先台２ａと、左側台２ｂ、右側台２ｃとから構成され、かかと側が低く、つま先側が高くなった傾斜を有する。
【００２４】
本実施例では、足置き台２は、弾性シート７で形成されている。この弾性シート７は、使用者Ｐの足裏の凹凸に追従して変形し、足置き台２に載せた足の安定感を向上させるとともに、足置き台２の上で足裏が滑ることを予防するため、使用時の安全性が向上する。弾性シート７の材料としては、エチレンー酢酸ビニル共重合樹脂、ゴム、スポンジ、エラストマー、ゲル材料などの耐熱性のある弾性材料が好適に使用できる。この足置き台２は、合成樹脂等耐熱性のある材料で形成された台座５で支えられている。
【００２５】
この様に傾斜を有する足置き台２の上に使用者Ｐが足を置いた状態について、図５及び図６を用いて説明する。足置き台２は、つま先側が高くなった傾斜を有するため、使用者Ｐは、図５に示すように、水浴する側の足のかかとを床に着けて足裏吐水装置１を使用することが可能である。この場合、吐水マッサージをする方の足も、直接床に着くので、使用者は両足を床につくことが出来、非常に安全である。また、図６の様に足裏全体を足置き台２に載せた場合も、足をかかと側に少しずらせば図５の状態となり、すばやく床に足をつくことができるため、安全性が高い。
【００２６】
また、この様に足置き台２を傾斜させた場合には、傾斜のない場合に比べて台座５の重心が低くなるため、足置き台２が転倒しにくくなり、安全性が向上する効果もある。
【００２７】
また、本実施例では、つま先側が高くなる傾斜としたが、、図７に示す様にかかと側が高くなる傾斜としてもよい。この場合つま先を床に着くことが出来るため、同様の安全性が確保される。  
【００２８】
また、台座５の底面には滑り止め部６が設けられている。この滑り止め部６により、足裏吐水装置１と床面との摩擦が向上し、装置が床上を滑りにくくなり、使用時の安全性が向上する。滑り止め部６には、ゴム、スポンジ、エラストマー、ゲル材料などが好適に使用できる。
【００２９】
次に、流入部４に関して説明する。流入部４は、図示する様に台座５のつま先側端面に位置する管状の部材である。この流入部４は、浴室の給水装置であるホース１０８に接続されており、足裏に吐水するための水を、足裏吐水装置１に導入し、足裏ノズル３に供給している。
【００３０】
本実施例では、シャワーヘッド１０３用のホース１０９と別に足裏吐水装置１用のホース１０８を設けたが、流入部４に、浴室で一般的に用いられているホースと連結可能なネジを切っておけば、シャワーヘッド１０３を取り外して、ホース１０９に足裏吐水装置１を直接接続する事も可能である。この場合、切替え弁１０６も不要となり、既存の浴室でも簡単に足裏吐水装置１を使用することが出来る。
【００３１】
次に、足裏ノズル３に関して説明する。図８は、図４に示された足裏吐水装置１のＦ−Ｆ矢視図、すなわち、足裏吐水装置１を、後述する送水路９及び旋回室流入路４０３の中心を通り、床面に平行な平面で切断し、上側から見た断面図である。図示するように、左右の台座５の略中央に、足裏ノズル３が設けられている。足裏ノズル３は、左右にシャフト３０２を有し、リング状のスペーサー３０１を介して、台座５にはめ込まれている。このため、足裏ノズル３は、回転軸３０４を中心に回動自在となっており、使用者Ｐは、足裏ノズル３の回動角θを変化させ、足裏の所望の個所に吐水が当たるように吐水方向を調整することができる。
【００３２】
ここで、回動角θに関して図９を用いて説明する。図９は、第一の実施例の使用時を、右側から見た図である。足裏ノズル３と、吐水領域の位置を点線で加えてある。図示するように、回動角θとは、一点破線で示した足裏ノズル３の吐水方向中心と、二点破線で示した台座５の底面とのなす角である。使用者Ｐは、かかと寄りに吐水マッサージしたい場合には回動角を小さく、つま先寄りに吐水マッサージしたい場合には回動角を大きく設定することで、足裏の所望の個所に吐水が当たるように吐水方向を調整することができる。
【００３３】
左右のシャフト３０２にはＯリングのシール部３０３が設けられている。このシール部３０３は、台座５とシャフト３０２の間からの水の漏れを防止するとともに、足裏ノズル３を所望の回動角で固定するための滑り止めとして機能している。
【００３４】
次に、足裏ノズル３からの吐水について説明する。この足裏ノズル３からの吐水は、送水路９からの水圧で回転する仕組みになっており、少量の水でも十分な強さを持つ、優れた吐水マッサージが行えるものである。以下に、その様な吐水を実現するための、足裏ノズル３及び送水路９の構造と作用を説明する。図１０は、図８におけるＧ−Ｇ矢視図、すなわち、足裏吐水装置１を、旋回室流入路４０３の中心を通り床面に垂直な平面で切断し、かかと側から見た断面図であり、図１１は、図１０におけるＨ−Ｈ矢視図、すなわち、足裏ノズル３を、その前後方向の中心を通り床面に垂直な平面で切断し、かかと側から見た図である。
【００３５】
図示するように、この足裏ノズル３は、水が流入する流入室として円筒状に形成された旋回室４０４を備え、この旋回室４０４に、送水路９と旋回室流入路４０３を経て水を供給する。送水路９と旋回室流入路４０３が平行な部分では、これらの中心軸は同一であり、回転軸３０４と一致している。旋回室流入路４０３は、ノズル管路であり、送水路９よりも通水断面積が小さく構成されており、旋回室４０４の中心軸に対して偏心して当該旋回室４０４に接続されている。よって、旋回室流入路４０３からの水は、旋回室４０４に対してその接線方向から流入し、図１０中に矢印で示したように、旋回する旋回流を生成する。この場合、旋回室流入路４０３の通水断面積は送水路９より小さいことから、旋回室４０４に流入する水の流速を高めることができる。
【００３６】
この旋回室４０４に、吐水体４１０が組み込まれている。吐水体４１０は、水を吐出する吐水口４１１を備えた小径円柱の吐水部位４１０ａと、この吐水部位４１０ａに連続した大径円柱の受力部位４１２とを有する。この受力部位４１２は、旋回室４０４内に位置して上記の旋回流から後述の種々の力を受け、吐水体４１０の後述する首振り公転駆動等に関与する。受力部位４１２は、横方向に貫通する給水管路４１３を備え、この給水管路４１３から、旋回室４０４内の水を吐水口４１１に導く。給水管路４１３は、受力部位４１２に十字に交差して開けられており、この給水管路４１３の通路断面積の総和は、吐水口４１１より広い。よって、給水管路４１３から吐水口４１１に水が導かれる際には、面積の大小により、水の整流がなされるので、吐水口４１１からの吐水は安定する。
【００３７】
吐水体４１０は、旋回室４０４の開口上部に設けられたシール部材４１６に吐水部位４１０ａを内接させた状態で挿入・支持されており、受力部位４１２を旋回室４０４内のほぼ中央に垂下させている。したがって、旋回室流入路４０３から旋回室４０４に水が流入すると、この水は、旋回室４０４の内周壁面に沿った受力部位４１２周りの旋回流を引き起こす。
【００３８】
円筒状の旋回室４０４の内径に対して、受力部位４１２の外径は、例えば、約４０％とすることができる。また、受力部位４１２の外径を旋回室４０４の内径の約３５〜８０％、好ましくは約４０〜７０％とすることができる。
【００３９】
吐水体４１０を上記のように支持するシール部材４１６は、Ｏリングやシールリング等の弾性体で構成されており、図示するように、吐水口４１１を旋回室４０４の外部に臨ませた状態で、吐水体４１０を支持する。しかも、このシール部材４１６は、弾性体であることから、吐水体４１０を支持した上で、受力部位４１２を旋回室４０４内において各方向に傾斜可能とすると共に、この受力部位４１２を傾斜した姿勢で首振り可能とする。また、シール部材４１６が弾性体であることから、吐水体４１０は、旋回室４０４内部で吐水体４１０自身が中心軸を中心に回転する自転や、シール部材４１６による支持箇所を頂点として円錐状に回転を行なう公転等が自在に行なえるようになっている。これら自転や公転は、受力部位４１２と上記の旋回流で引き起こされる。
【００４０】
旋回室４０４の上壁は、図示するように吐水体４１０の吐水部位４１０ａの側で小径とされたテーパガイド部４１５とされている。このテーパガイド部４１５は、受力部位４１２、延いては吐水体４１０の最大傾斜角度を規制する。
【００４１】
吐水が開始された後の、足裏ノズル３における吐水の様子と、その挙動について説明する。図１２は、旋回室４０４に水が流入してからの受力部位４１２の挙動とこの受力部位４１２にかかる力の様子を時間経過に沿って説明する説明図である。同図において、旋回室流入路４０３の連通部での流速をＵｉｎ、旋回室流入路４０３の開口の延長線上にある周壁部位４０４ａでの流速をＵａ、当該部位に対向する周壁部位４０４ｂにおける流速をＵｂ、受力部位４１２に作用する揚力をＦＬ、抗力をＦＤとそれぞれ表した。
これらの作用関係から分かるように、受力部位４１２は、旋回室４０４における水の旋回流に応じて、傾斜姿勢のままで首振り公転する。
【００４２】
図１３は、受力部位４１２がこうした挙動を採ることで得られる吐水の様子を説明する図である。同図に表したように、吐水体４１０が首振り公転を起こすと、吐水口４１１は、吐水体４１０の首振り公転に伴い吐水方向を変えながら公転する。よって、吐水口４１１は、螺旋状に拡大した軌道を描きながら水を吐水し、その結果として、円錐状の公転吐水を実現する。したがって、吐水軌跡を、吐水口４１１の軌跡よりはるかに大きい軌跡の円錐状の公転吐水の軌跡とし、広範囲に亘って水を吐出できる。
【００４３】
したがって、この足裏ノズル３によれば、ノズル自体をモータなどにより駆動させることなく円錐状の公転吐水を実現でき、これにより、広範囲にわたる着水が得られる。着水点が広範囲に亘って変化することにより、高いマッサージ効果が得られる。特に、足趾裏、湧泉（足の裏の中央から少しつま先側に寄った窪みの部分）、土踏まずは、足裏において比較的角質が薄い部位であり、効果的にマッサージが行える。
【００４４】
この足裏ノズル３は、本実施例では1個であったが、複数個ならべて、足裏のより広い範囲に吐水が出来るようにしても良い。また、この足裏ノズル３の回転は、本実施形態では、水流により機械的に駆動されるので、吐水される期間中自動的に継続して行われるが、これを電気的に操作することにより、回転、停止を選択できるように構成することも可能である。
【００４５】
台座５の下方には、図２に示すように、吐水後の水を台座５の外部に排出するための排水部８が、台座５の側面を切りかく形で設けられている。足裏ノズル３から吐水された水は、使用者Pの足裏に当たった後、床に落ち、この排水部８から、台座５外部の浴室床へと速やかに排出される。このため、足裏ノズル３が水没することはなく、上水と吐水後の水との縁を切ることが出来ると共に、足裏ノズル３からの吐水の勢いが常に確保される。
【００４６】
次に、図１を用いて足裏吐水装置１の一連の使用方法に関して説明する。操作部であるシャワー金具１０１の操作方法は、切換部１０６を使用する以外、基本的に一般の浴室シャワーと同様である。使用者Ｐは、まず、温度調節部１０４を操作することにより設定温度を調節して適温に合わせ、切換部１０６上の切換つまみ１０７を、横向きになるよう回転して、シャワーヘッド１０３ではなく足裏吐水装置１側から吐水されるように設定する。ここで、使用者Ｐは、風呂イスに座り、吐水マッサージをしたい方の足を足置き台２の上に載せ、流量調節部１０５を奥側に倒して、吐水を開始する。吐水マッサージを行う間に、温度調節部１０４を操作して、湯温を変えたり、湯と冷水を交互に浴びる温冷浴を楽しむ事も可能である。
【００４７】
十分なマッサージを楽しんだ後は、流量調節部１０５を手前側に回動し、止水位置に戻して吐水を止めれば良い。また、吐水マッサージ中に吐水を当てる位置を変更したい場合は、足置き台２の上で足の位置をずらすか、足裏ノズル３の向きを変えることで簡単に対応できる。
【００４８】
最後に、本実施形態における足裏吐水装置１使用時の水の流れを、順を追って説明する。図１に示す様に、吐水マッサージに用いる水は、壁１１０外部の図示しない給水・給湯設備より、給水管１１２、給湯管１１３で浴室内部に導入され、シャワー金具１０１にて適温に混合される。その後、切換部１０６に流入し、切換つまみ１０７が横向きになっている場合は、ホース１０８を経由して足裏吐水装置１に流れ込む。その後、図１０及び図１１に示す様に、足裏吐水装置１内部では、送水路９、旋回室流入路４０３を経て足裏ノズル３内の旋回室４０４に供給され、ここで旋回流を形成し、給水管路４１３吐水体４１０に導入され、吐水口４１１より足裏に向かって吐水される。吐水された水は、図９に太矢印で示すように、足裏にあたり、跳ね返って床に落ちる。そして、排水部８から排出された後、浴室の床を伝わって、図示しない排水口より浴室外へ排水される。
【００４９】
以下、本発明に係る足裏吐水装置に関し、いくつかの実施例について説明する。これらの実施例に係る足裏吐水装置は、足置き台の形状や構成、給水機構が異なる点で、第一の実施形態におけるものと相違し、他の構成は第一の実施形態と実質的に同じであるため、同じ符号を付して説明を省略する。
【００５０】
ここから第二の実施例は、図１４に示すように、土踏まずパッド５００が左側台２ｂ、右側台２ｃのどちらにでも着脱可能に備えられている点と、足置き台２が、左側台２ｂ、右側台２ｃとかかとを支えるかかと台２ｄより成る点で、第一の実施の形態と異なる。この土踏まずパッドは、本願で言う土踏まず載置部に対応する。
【００５１】
土踏まずパッド５００は、図１５に示すように、楕円形で中央が盛り上がった形状に形成されており、底部に１対の固定突起５０１を備えている。一方、足置き台２の土踏まずに対応する位置には、この突起をはめこむための固定孔５０２が設けられている。土踏まずパッド５００はエラストマーで弾性を有するため、固定突起５０１を固定孔５０２に押し込むことにより左側台２ｂないし右側台２ｃへ装着し、また、引き抜くことにより取りはずすことが出来る。
【００５２】
使用者Ｐは、右足に吐水する場合は左側台２ｂに、左足に吐水する場合は右側台２ｃに、この土踏まずパッド５００を取り付けて、足裏吐水装置１を使用する。この土踏まずパッド５００を用いることにより、図１６に示す様に土踏まずの位置が足置き台２にしっかりと固定され、足が足置き台２の上を滑ることがなく、安全である。また、土踏まずと台の隙間から水が飛散するのを防止するのにも役立つ。
【００５３】
本実施例では、左右の足置き台２に各一対の固定孔５０２を設けているが、固定孔５０２を複数対設け、使用者Ｐが好みの位置に合わせられるようにしても良い。また、土踏まずパッド５００の、足裏に接する面に突起を設けると、足裏と土踏まずパッド５００の間の摩擦が向上してさらにすべりにくくなり安全性が向上するとともに、突起によるツボ押しの効果も加わり、より効果的に足裏を刺激することが出来る。
【００５４】
本実施例では、足置き台２は、左側台２ｂ、右側台２ｃと、かかとを支えるための、かかと台２ｄから成る。足置き台２をこの様な形状にした場合、つま先側に台がないため、足裏ノズル３の回動角を９０度前後にする事で、足趾の付け根や趾間にも吐水マッサージをすることが出来る。この様な足置き台の形状は、足趾が疲れやすい人や、先の細い靴で足趾が圧迫されている人などが使用する場合に、特に適している。足置き台２は、安定して足を載置できる形状であれば、吐水マッサージしたい場所に応じて、つま先とかかとだけ、つま先だけ、左右だけなどとしても良い。
【００５５】
第三の実施例は、図１７に示すように、水が周囲に飛び散るのを防止するための飛散防止カバー６００が設けられている点で第一の実施例と異なる。
【００５６】
飛散防止カバー６００は、周囲に水が飛び散るのを抑制するためのシリコーン製のカバーで、図示するように、左右の足置き台２ｂ、２ｃを覆うような形で、台座５に側板６０２で挟み付けてネジ止めされている。図１８は、使用者Ｐが足裏吐水装置１を用いて吐水マッサージを行っている様子を、右側から見たものである。台座５の内部にある足裏ノズル３と、この足裏ノズル３からの吐水の位置を、点線で加えて示している。足裏ノズル３からの吐水は、図示する様に足裏にあたり、跳ね返って床に落ちる。しかし、その一部は、土踏まずと足置き台２の隙間から左右の方向に飛び散る場合がある。飛散防止カバー６００は、この飛び散りを抑えるためのものである。図示する様に、飛散防止カバー６００は、使用者Ｐの土踏まず側部を覆っているため、足置き台２と土踏まずの隙間から、周囲に水が飛び散ることがない。このため、使用者Ｐは着衣の状態でも衣服が濡れる心配をせず、足裏吐水装置１による吐水マッサージを行う事が出来る。
【００５７】
このように足裏の下から吐水する装置では、足甲側から水が飛散することがないため、足入れ部６０１と使用者Ｐの足の間に隙間があっても、周囲への水の飛散は十分抑制される。そこで、本実施例では、足入れ部６０１には、足に密着するなどして足と飛散防止カバーとの隙間を狭くする機構は設けていない。このため、足入れ部６０１は常時開放され、自由に足を出し入れ出来る。よって、緊急時等には、かかと側にスライドさせるだけですぐに足を出すことが出来、安全である。また、つま先側も開放されているので、使用者Ｐは、飛散防止カバー６００に制限されることなく、所望の位置に足を置くことが出来る。
【００５８】
さらに、飛散防止カバー６００は、シリコーンシートで形成され、透明性を有するため、使用者Ｐは、足置き台２と自分の足との位置関係を目視で確認しながら、飛散防止カバー６００に足を挿入出来るため、安全である。
【００５９】
飛散防止カバー６００の素材としては、シリコーンシートの他にも、エチレンー酢酸ビニル共重合体、ゴム、スポンジ、エラストマー、ゲル材料、アクリル、ポリカーボネート等が好適に利用できる。
【００６０】
第四の実施例として、台座５が床に固定された浴室の実施例を図１９及び図２０に示す。この実施例は、台座５が浴室空間１１６の床１１５に固定されている点と、ホース１０８のかわりに、配管１１１が用いられる点で、第一の実施例と異なる。その他の構成や操作方法は、第一の実施例と同様である。
【００６１】
この浴室空間１１６では、図示する様に、台座５が床１１５に固定されている。このように台座５が固定されていると、足裏吐水装置１が転倒したり床上を滑ったりする事がないため、使用者Ｐは、浴室空間１１６内で安全に足裏吐水マッサージを楽しむ事ができる。
【００６２】
また、この浴室空間１１６では、上述した通り、ホース１０８でなく配管１１１が用いられている。ホース１０８と配管１１１は、ともに切換部１０６から分岐され、足裏吐水装置１に水を供給するものであるが、ホース１０８が浴室空間１１６内で直接足裏吐水装置１に接続されるのに対し、配管１１１は一旦壁１１０の裏側をまわり浴室に戻るものである。
【００６３】
図２０に示す様に、足裏吐水装置１に水を供給するための配管１１１は、切換部１０６から壁１１０側に向かって出て、壁１１０を突き抜けて一旦浴室空間１１６の外部をまわり、床１１５に近い高さで再び壁１１０を突き抜けて、浴室空間１１６内に戻っている。そして、足裏吐水装置１の給水部４と配管１１１は、浴室空間１１６内のカウンター１１４下で接続されている。このような構成にする事で、浴室空間１１６は実施例１の場合よりも、すっきりした空間になっている。また、図示していないが、配管１１１は浴室空間１１６の外部では断熱材で覆われている。そのため、シャワー金具１０１にて温度調節された湯温から冷めることなく、足裏吐水装置１から吐水することができる。
【００６４】
以上に説明した実施例は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００６５】
【図１】第一の実施形態に係る足裏吐水装置を備えた浴室水栓の全体構成の概要を示す図である。
【図２】第一の実施形態に係る足裏吐水装置を左側から見た図である。
【図３】第一の実施形態に係る足裏吐水装置を上側から見た図である。
【図４】第一の実施形態に係る足裏吐水装置をかかと側から見た図である。
【図５】足置き台と使用者の足との位置関係を示す図であり、かかとを床につけた場合を示す図である。
【図６】足置き台と使用者の足との位置関係を示す図であり、足裏全体を足置き台に載せた場合を示す図である。
【図７】足置き台と使用者の足との位置関係を示す図であり、つま先側が下がる傾斜の足置き台において、つま先を床につけた場合を示す図である。
【図８】足裏ノズルと送水路の構成を示す図である。
【図９】第一の実施形態に係る足裏吐水装置の使用時の図である。
【図１０】足裏ノズルと送水路の構造と作用を説明する図であり、（ａ）は、図４に示された足裏吐水装置１のＦ−Ｆ矢視図である。
【図１１】足裏ノズルの断面図であり、図９におけるＨ−Ｈ矢視図である。
【図１２】足裏ノズルの挙動について説明する図である。
【図１３】足裏ノズルの吐水の様子を説明する図である。
【図１４】第一の実施例を説明する図であり、土踏まずパッドの形状を説明する図である。
【図１５】第二の実施例の全体構成を示す図である。
【図１６】第二の実施例の、使用時の図である。
【図１７】第三の実施例を説明する図である。
【図１８】第三の実施例の、使用時の図である。
【図１９】第四の実施例に係る足裏吐水装置を備えた足裏吐水システムの全体構成の概要を示す図である。
【図２０】第四の実施例に係る足裏吐水装置を備えた足裏吐水システムの全体構成の概要を示す図である。
【図２１】従来の足マッサージ装置の例を示す図である。
【符号の説明】
【００６６】
１  足裏吐水装置
２  足置き台
２ａ  つま先台
２ｂ  左側台
２ｃ  右側台
２ｄ  かかと台
３  足裏ノズル
４  流入部
５  台座
６  滑り止め部
７  弾性シート
８  排水部
９  送水路
１００  足裏吐水システム
１０１  シャワー金具
１０２  カラン
１０３  シャワーヘッド
１０４  温度調節部
１０５  流量調節部
１０６  切換部
１０７  切換つまみ
１０８  ホース
１０９  ホース
１１０  壁
１１１  配管
１１２  給水管
１１３  給湯管
１１４  カウンター
１１５  床
１１６  浴室空間
３０１  スペーサー
３０２  シャフト
３０３  シール部
３０４  回転軸
４０３  旋回室流入路
４０４  旋回室
４１０  吐水体
４１０ａ  吐水部位
４１１  吐水口
４１２  受力部位
４１３  給水管路
４１５  テーパガイド部
４１６  シール部材
５００  土踏まずパッド
５０１  固定突起
５０２  固定孔
６００  飛散防止カバー
６０１  足入れ部
Ｐ  使用者
【図１】
2005245614.tif 000003
【図２】
2005245614.tif 000004
【図３】
2005245614.tif 000005
【図４】
2005245614.tif 000006
【図５】
2005245614.tif 000007
【図６】
2005245614.tif 000008
【図７】
2005245614.tif 000009
【図８】
2005245614.tif 000010
【図９】
2005245614.tif 000011
【図１０】
2005245614.tif 000012
【図１１】
2005245614.tif 000013
【図１２】
2005245614.tif 000014
【図１３】
2005245614.tif 000015
【図１４】
2005245614.tif 000016
【図１５】
2005245614.tif 000017
【図１６】
2005245614.tif 000018
【図１７】
2005245614.tif 000019
【図１８】
2005245614.tif 000020
【図１９】
2005245614.tif 000021
【図２０】
2005245614.tif 000022
【図２１】
2005245614.tif 000023